(57)【要約】【課題】プリントの注文を効率よく行うプリント注文プログラム及び装置を提供する。【解決手段】メモリカードをプリント注文装置のメモリカードリーダにセットすると、プリント注文プログラムが起動し、ディスプレイの画面に、メモリカード内の画像を表示するメディア画像表示領域と、最小サイズの注文画像表示領域が表示される。予算を入力すると、注文可能枚数が算出され、これに基づいて注文画像表示領域の枠サイズが演算され、注文可能枚数に対応した注文画像表示領域が表示される。プリント注文したい画像をメディア画像表示領域から注文画像表示領域にドラッグ＆ドロップすると、ドロップ直後の画像が１．５倍に拡大表示される。画像の選択操作が終了したら注文ボタンを左クリックする。画像データとプリント情報が写真プリンタに転送され、画像のプリントが実行される。【選択図】        図５
2006139505.tif 000002
【特許請求の範囲】
【請求項１】
記憶媒体から画像データを読み出してコンピュータに接続されたディスプレイの画面に画像を表示し、前記画像からプリント注文用の画像を選択するプリント注文プログラムにおいて、
前記画像データを用いてディスプレイ画面上の媒体画像表示領域に記憶媒体の画像をサムネイル表示する媒体画像表示処理と、
前記媒体画像表示領域と並列して設けた注文画像表示領域に、前記媒体画像表示領域から選択したプリント注文用の画像をサムネイル表示する注文画像表示処理と、
をコンピュータに実行させることを特徴とするプリント注文プログラム。
【請求項２】
前記コンピュータに予算の額を入力することにより、前記予算の額に応じたプリント可能枚数を算出する演算処理と、
前記プリント可能枚数に応じて、前記注文画像表示領域のサイズを変更する注文画像表示領域サイズ調整処理と、
をコンピュータに実行させることを特徴とする請求項１記載のプリント注文プログラム。
【請求項３】
前記コンピュータに予算の額を入力することにより、前記予算の額に応じたプリント可能枚数を算出する演算処理と、
前記注文画像表示領域を、実際に注文する実注文画像を置く実注文領域と、注文の可能性がある候補画像を仮に置く仮注文領域とに分け、この境界線を、前記プリント可能枚数に応じて変更する境界線変更処理と、
をコンピュータに実行させることを特徴とする請求項１記載のプリント注文プログラム。
【請求項４】
前記プリント可能枚数をディスプレイの画面上に表示するプリント可能枚数表示処理  をコンピュータに実行させることを特徴とする請求項２または３記載のプリント注文プログラム。
【請求項５】
前記プリント注文用画像の選択は、前記媒体画像表示領域に表示された画像を注文画像表示領域にドラッグ＆ドロップすることにより行われることを特徴とする請求項１ないし４いずれか記載のプリント注文プログラム。
【請求項６】
前記媒体画像表示領域，注文画像表示領域にそれぞれ表示された画像の表示順序は、各領域内で変更自在であることを特徴とする請求項１ないし５いずれか記載のプリント注文プログラム。
【請求項７】
前記媒体画像表示領域に表示された画像は、削除自在であることを特徴とする請求項１ないし６いずれか記載のプリント注文プログラム。
【請求項８】
前記媒体画像表示領域から選択したプリント注文用の画像が注文画像表示領域に表示される際に、前記画像に対して画像補正を施すことを特徴とする請求項１ないし７いずれか記載のプリント注文プログラム。
【請求項９】
前記画像補正は、赤目補正であることを特徴とする請求項８記載のプリント注文プログラム。
【請求項１０】
前記媒体画像表示領域から選択したプリント注文用の画像が注文画像表示領域に表示される際に、前記画像に対して顔抽出を行い、顔を中心とするセンタトリミングを施すことを特徴とする請求項１ないし９いずれか記載のプリント注文プログラム。
【請求項１１】
前記請求項１ないし１０いずれか記載のプリント注文プログラムを実行するコンピュータと、これに接続されたディスプレイとからなることを特徴とするプリント注文装置。
【発明の詳細な説明】
【技術分野】
【０００１】
本発明は、コンピュータで使用され、メモリカード等の記憶媒体に記憶されている多数の画像からプリント注文の指定を行う際に用いられるプリント注文プログラム及びこれを実行するプリント注文装置に関するものである。
【背景技術】
【０００２】
顧客がメモリカードやＣＤ−Ｒ等の記憶媒体をセットすると、この記憶媒体から読み出した画像をディスプレイに表示し、オーダがあった画像をプリント装置に転送してプリントを行うデジタル画像受付装置が知られている（例えば特許文献１）。この受付装置は、パーソナルコンピュータのハードディスクにプリント注文プログラムをインストールしたものである。
【０００３】
前記受付装置に接続されたディスプレイの画像表示エリアに記憶媒体内の画像がサムネイル表示され、顧客はこれを見ながら、各画像の下方部に設けられた枚数表示エリアにプリント枚数を指定する。画像表示エリアの下方部には、プリントサイズの情報，プリントの合計枚数，プリントに要する合計金額等が表示されるから、顧客は、これらを確認した後、名前等の顧客情報を入力してからＯＫボタンを押すと、これらのオーダ情報と画像情報とが受付装置のハードディスクに保存されるとともに、受付証が発行される。
【０００４】
顧客が受付証をＤＰ店に提示すると、その担当者が受付証にプリントされた情報に基づき、写真プリント装置からの操作で受付装置に保存されたオーダ情報と画像情報とを通信ネットワークを介して取り込み、これらの情報に基づいて、写真プリント装置でプリントを行う。
【特許文献１】特開２００３−７５９３０号公報
【発明の開示】
【発明が解決しようとする課題】
【０００５】
上述したようなデジタル画像受付装置で使用されているプリント注文プログラムは、プリント指定した画像とそうでない画像とを混在した状態でディスプレイに表示するため、一通り指定し終わった後、プリント指定した画像を確認するには、再び全ての画像を確認する必要がある。この確認作業は、メモリカード内に記憶されている画像が例えば３０〜４０個程度の場合には大した手間ではないが、最近の大容量化した２５６ＭＢ〜１ＧＢのメモリカードでは、画像の数が２００個以上にもなり得るため、数ページにわたってスクロールする必要があり、非常に面倒である。また、別のページにある似た絵柄の画像を重複して指定しても気づかない場合があり、このような場合には無駄なプリントを注文してしまうことになる。更に、予算を超えた場合には、一旦指定したプリント枚数を減らすことになるが、この検討を行うために再び全ての画像を確認しなければならず、大きな手間がかかる。
【０００６】
本発明は、プリントの注文を効率よく行うことができるプリント注文プログラム及び装置を提供することを目的とする。
【課題を解決するための手段】
【０００７】
本発明のプリント注文プログラムは、記憶媒体から画像データを読み出してコンピュータに接続されたディスプレイの画面に画像を表示し、プリントを注文する画像を指定するプリント注文プログラムにおいて、前記画像データを用いてディスプレイ画面上の媒体画像表示領域に記憶媒体の画像をサムネイル表示する媒体画像表示処理と、前記媒体画像表示領域と並列して設けた注文画像表示領域に、前記媒体画像表示領域から選択したプリント注文用の画像をサムネイル表示する注文画像表示処理とをコンピュータに実行させることを特徴とする。
【０００８】
また、前記コンピュータに予算の額を入力することにより、前記予算の額に応じたプリント可能枚数を算出する演算処理と、前記プリント可能枚数に応じて、前記注文画像表示領域のサイズを変更する注文画像表示領域サイズ調整処理とをコンピュータに実行させることを特徴とする。
【０００９】
また、前記コンピュータに予算の額を入力することにより、前記予算の額に応じたプリント可能枚数を算出する演算処理と、前記注文画像表示領域を、実際に注文する実注文画像を置く実注文領域と、注文の可能性がある候補画像を仮に置く仮注文領域とに分け、この境界線をプリント可能枚数に応じて変更する境界線変更処理とをコンピュータに実行させることを特徴とする。また、前記プリント可能枚数をディスプレイの画面上に表示するプリント可能枚数表示処理をコンピュータに実行させることを特徴とする。
【００１０】
また、前記プリント注文用画像の選択は、前記媒体画像表示領域に表示された画像を注文画像表示領域にドラッグ＆ドロップすることにより行われることを特徴とする。また、前記媒体画像表示領域，注文画像表示領域にそれぞれ表示された画像の表示順序は、各領域内で変更自在であることを特徴とする。また、前記媒体画像表示領域に表示された画像は、削除自在であることを特徴とする。
【００１１】
また、前記媒体画像表示領域から選択したプリント注文用の画像が注文画像表示領域に表示される際に、前記画像に対して画像補正を施すことを特徴とする。また、前記画像補正は、赤目補正であることを特徴とする。また、前記媒体画像表示領域から選択したプリント注文用の画像が注文画像表示領域に表示される際に、前記画像に対して顔抽出を行い、顔を中心とするセンタトリミングを施すことを特徴とする。
【００１２】
本発明のプリント注文装置は、前記プリント注文プログラムを実行するコンピュータと、これに接続されたディスプレイとからなることを特徴とする。
【発明の効果】
【００１３】
本発明のプリント注文プログラム及び装置によれば、同一画面上に媒体画像表示領域と注文画像表示領域とを並列して表示するから、注文済み画像を一覧でき、類似した画像の重複注文を防止できる。また、注文の取消も容易にできる。この結果、プリントの注文を効率よく行うことができる。
【００１４】
また、予算に応じたプリント可能枚数を表示し、これに応じて注文画像表示領域のサイズを変更するから、予算を使い切るまであとどれくらい注文できるかが直感的に把握でき、注文を簡単・確実に予算内に納めることができる。
【００１５】
また、注文画像表示領域のサイズを変更する代わりに、注文画像表示領域を実注文領域と仮注文領域とに分け、この境界線をプリント可能枚数に応じて変更するようにしてもよい。このようにすると、実注文領域内の画像と注文候補領域内の画像とを容易に見比べることができ、実際に注文する画像を検討し、確定することが容易にできる。
【００１６】
また、前記プリント注文用画像の選択は、前記媒体画像表示領域に表示された画像を注文画像表示領域にドラッグ＆ドロップすることにより行われるから、画像の選択を直感的に行うことができる。
【００１７】
また、媒体画像表示領域，注文画像表示領域にそれぞれ表示された画像の表示順序は各領域内で変更自在であるから、例えば注文の優先順位が高い画像ほど注文画像表示領域の上方部に配置することにより、予算内での注文画像の決定が容易にできる。また、例えば少なくとも注文画像表示領域でテーマ毎にグループ分けしておけば、各グループ毎に注文枚数を均等にするような注文の仕方が容易にできる。
【００１８】
また、媒体画像表示領域に表示された画像は削除自在であるから、予めプリント不要な画像を削除しておくことにより余計な選択肢が減って更に画像を選択し易くなる。
【００１９】
また、プリント注文用の画像が注文画像表示領域に表示される際に、画像に対して画像補正を施すので、仕上がりイメージが確認でき、より簡単にプリントの注文ができる。また、前記画像補正として、一般に最も補正希望が多い赤目補正を採用するのが好ましい。
【００２０】
また、注文画像表示領域に表示される画像に対して顔抽出を行い、顔を中心とするセンタトリミングを施すようにすると、注文画像の良否をより容易に判別でき、プリントの注文を効率よく行うことができる。
【発明を実施するための最良の形態】
【００２１】
本発明に係るプリント注文装置は、デジタルプリントサービスを提供するプリント業者の店舗に設置されている。プリント注文装置１０は、図１に示すように、ＣＰＵ１１，ＲＡＭ１２，マウスやキーボードからなる操作部１３，ストレージデバイス（例えば、ハードディスクドライブ）１４，メモリカードリーダ１５，ＵＳＢ（Universal Serial Bus）スロット１６及びマルチドライブ１７等からなるコンピュータ１８と、これに接続され、操作画面や画像を表示する液晶パネルを用いたディスプレイ１９とからなり、これらはデータバス２０を介して接続されている。
【００２２】
ＣＰＵ１１は、操作部１３からの操作指示に応じて、プリント注文装置１０の各部を制御する。また、ストレージデバイス１４には、本発明の第１実施形態であるプリント注文プログラムがインストールされている他、注文履歴ファイル等が蓄積保存される。プリント注文装置１０には、例えば、写真プリンタ２１が接続されており、プリント注文を受け付けた画像ファイルがオンラインで例えばピクトログラフィ（商標）等の写真プリンタ２１へ転送される。
【００２３】
プリント注文装置１０のメモリカードリーダ１２は、例えばｘＤ−ピクチャーカード（商標）やスマートメディア（商標）等の各種メモリカードに対応したスロットを有し、デジタルプリントサービスを利用しようとする顧客は、画像データが記憶されているメモリカード２２を持参して、これに対応するカードリーダ１２のスロットに差し込む。また、メモリカード２２の代わりにＵＳＢメモリを用い、これをＵＳＢスロット１６に差し込んでもよい。また、画像データを書き込んだＣＤ−ＲやＤＶＤ−Ｒ等をマルチドライブ１７にセットしてもよい。
【００２４】
メモリカードリーダ１５のスロットにメモリカード２２を差し込むと、ディスプレイ１９に電源が入り、図２に示すような画面２４が表示される。画面２４のほぼ左側半分にはメディア画像表示領域２６が表示され、右側上方部には注文画像表示領域２７が表示される。また、右側下方部には、予算表示エリア２８，注文可能枚数表示エリア２９，注文ボタン３０，キャンセルボタン３１及びごみ箱３２が配置されている。また、符号３３はマウスのカーソルを示す。
【００２５】
前記メディア画像表示領域２６には、メモリカード２２内の画像がサムネイル表示される。また、各画像の下部には、ＤＳＣ０００１等の画像番号が表示される。また、メディア画像表示領域２６の右端には、縦方向に周知のスクロールバー２６ａが設けられ、これを操作することにより、メディア画像表示領域２６内の画像を縦方向にスクロールさせてメモリカード２２内の全ての画像を表示させることができる。
【００２６】
前記注文画像表示領域２７は、画面２４が表示された直後の初期状態では、例えば画像４個分の最小の枠サイズで表示される。この枠サイズは、予算の額が予算表示エリア２８に入力されると、予算の額に応じて変更される。例えば、予算の額５００円を予算表示エリア２８に入力した場合、本実施形態ではプリント単価が３０円／Ｌサイズ１枚，プリント固定手数料が２００円であるから、デフォルトの注文可能枚数は、式（５００−２００）÷３０から１０枚になる。これにより、図３に示すように、「１０枚」の文字が注文可能枚数表示エリア２９に表示されるとともに、注文画像表示領域２７が１０枚分の画像を表示する枠サイズになる。
【００２７】
図４に示すように、プリントを注文したい画像３４をメディア画像表示領域２６から注文画像表示領域２７にドラッグ＆ドロップすると、その画像３４が注文画像表示領域２７にコピーされて表示される。この時、画像３４の画像番号の下方部にプリントサイズ表示エリア３５とプリント枚数表示エリア３６が付加される。また、注文画像表示領域２７にドロップされた直後の画像は、絵柄の確認が容易にできるように、例えば１．５倍程度に拡大表示される。この拡大表示された画像は、別の画像をドラッグ＆ドロップすると、通常サイズのサムネイル画像になる。すなわち、常にドラッグ＆ドロップされた直後の画像のみが拡大表示される。
【００２８】
プリントサイズ表示エリア３５には、デフォルトでＬサイズが表示されているが、プリントサイズ表示エリア３５はプルダウンメニューになっており、これを左クリックすると、２Ｌサイズ等を選択できる。また、プリント枚数表示エリア３６は、デフォルトではプリント枚数が１枚と表示されているが、右端の上下ボタンを左クリックすることによりプリント枚数を任意の枚数に設定できる。
【００２９】
プリントサイズをＬサイズから２Ｌサイズに変更したり、プリント枚数を２枚以上に変更すると、その都度、注文可能枚数表示エリア２９に表示される数字は小さくなるとともに、注文画像表示領域２７の枠サイズはデフォルトのサイズから縮小されてゆく。例えば、２Ｌサイズの値段を４０円／枚とすると、画像番号ＤＳＣ０００１，７，８の各画像がＬサイズで１枚ずつ，画像番号ＤＳＣ００１４の画像が２Ｌサイズで３枚，画像番号ＤＳＣ００１６の画像がＬサイズで１枚だから、３０円×４＋４０円×３＋２００円＝４４０円となり、残り金額が６０円となる。したがって、注文可能な残り枚数はＬサイズのプリントで２枚となるから、注文可能枚数表示エリア２９に「２枚」の文字が表示されるとともに、注文画像表示領域２７の枠サイズが画像７個分に縮小される。
【００３０】
残りの２枚の画像をメディア画像表示領域２６から注文画像表示領域２７にドラッグ＆ドロップすると、注文可能枚数表示エリア２９に「０枚」の文字が表示され、それ以上は注文できない。更に次の画像をメディア画像表示領域２６から注文画像表示領域２７にドラッグ＆ドロップしようとしても、その画像はメディア画像表示領域２６にアニメーション式に戻され、それ以上注文できないことが視覚的にも分かりやすく表示される。また、この状態から、例えば注文可能枚数表示エリア２９内の画像を２Ｌサイズに変更したり、各画像のプリント枚数を増やそうとしても変更が拒否される。もちろん、予算の額を増やせば、プリント枚数を増加させたり、プリントサイズを変更できるようになる。
【００３１】
また、予算の額が大きく注文可能な画像の数が多い場合には、注文画像表示領域２７内の各画像のサイズを通常のサムネイル画像よりも更に縮小して表示する。なお、この場合、スクロールバーを表示して注文画像表示領域２７内をスクロールさせるようにしてもよい。
【００３２】
また、注文画像表示領域２７に一旦ドロップした画像の注文を取りやめたい場合には、注文画像表示領域２７内の画像をメディア画像表示領域２６にドラッグ＆ドロップして戻すか、ごみ箱３２にドラッグ＆ドロップすれば、注文画像表示領域２７から外すことができる。なお、メディア画像表示領域２６内の画像の中で、例えば手ブレ等の原因で失敗し、明らかに不要であると判断した画像は、ごみ箱３２にドラッグ＆ドロップすることにより、当該画像データをメディア画像表示領域２６内から消去する。これにより、メディア画像表示領域２６内の選択肢が減って注文しやすくなる。なお、メディア画像表示領域２６内の画像をごみ箱３２にドラッグ＆ドロップした際に、当該画像データをメモリカード２２内から削除するようにしてもよい。
【００３３】
予算内で所望の画像を選択できたら、「注文する」と表示された注文ボタン３０を左クリックする。これにより、注文画像表示領域２７内の画像に該当する画像データがメモリカード２２から読み出され、写真プリンタ２１に転送される。また、メモリカードを交換する等の理由で注文を取り止めたい場合には、キャンセルボタン３１を左クリックする。
【００３４】
次に、上記実施形態の作用について図５に示すフローチャートに従って説明する。顧客は、持参したメモリカード２２をプリント注文装置１０のメモリカードリーダ１５のスロットに差し込む（ｓｔ１）。プリント注文プログラムが起動した後（ｓｔ２）、ディスプレイ１９に図２に示すような画面２４が表示される（ｓｔ３）。
【００３５】
画面２４には、メディア画像表示領域２６が表示され、この枠内にメモリカード２２内の画像がサムネイル表示されるとともに、最小サイズの注文画像表示領域２７が表示される。そして、「予算を入力して下さい。」というメッセージが画面２４の中央に大きく表示される（ｓｔ４）。
【００３６】
予算表示エリア２８内の￥マークの後にキャレット型のカーソルが点滅しているから、顧客がキーボードを操作して予算の額を入力すると、予算の額が予算表示エリア２８の￥マークの後に入力される（ｓｔ５）。これにより、「予算を入力して下さい。」のメッセージが消失するとともに（ｓｔ６）、注文可能枚数の算出が行われ、注文可能枚数表示エリア２９に注文可能枚数が表示される（ｓｔ７）。本実施形態では、予算額が５００円であり、プリント単価が３０円／Ｌサイズ１枚，プリント固定手数料が２００円であるから、注文可能枚数が１０枚となって、この数字が注文可能枚数表示エリア２９に表示される。続いて注文画像表示領域２７の枠サイズが演算され（ｓｔ８）、図３に示すように、その枠サイズで注文画像表示領域２７が表示される（ｓｔ９）。
【００３７】
顧客は、図４に示すように、メディア画像表示領域２６からプリントしたい画像３４にマウスのカーソル３３を移動させ、その画像３４をメディア画像表示領域２６から注文画像表示領域２７にドラッグ＆ドロップする。この注文画像表示領域２７にドロップされた直後の画像は１．５倍に拡大表示され、画像の確認が容易にできる。また、画像番号の下方部にプリントサイズ表示エリア３５とプリント枚数表示エリア３６とが付加される。
【００３８】
なお、メディア画像表示領域２６内の画像は、ドラッグ＆ドロップによって削除されることはなく、そのまま表示される。また、注文を取り消すには、注文画像表示領域２７内の画像をメディア画像表示領域２６へドラッグ＆ドロップするか、ごみ箱３２にドラッグ＆ドロップする。
【００３９】
デフォルトの設定であるＬサイズかつ１枚ずつのままであれば、画面２４に表示された注文画像表示領域２７の枠いっぱいに画像を入れることができるが、各画像毎のプリント枚数を変更したり（ｓｔ１０）、プリントサイズを変更した（ｓｔ１１）場合には、その都度注文可能枚数が再算出され、注文可能枚数表示エリア２９の数字が変更されるとともに、算出された注文可能枚数に応じて注文画像表示領域２７の枠サイズが変更される。
【００４０】
また、予算を超えて画像を注文しようとした場合には、注文画像表示領域２７へのドラッグ＆ドロップが拒否され、画像はメディア画像表示領域２６に戻されるから、予算を超えて注文するおそれがない。予算を超えて画像を注文したくなった場合には、キーボードを用いて予算表示エリア２８に表示された予算の額を変更する。
【００４１】
また、画像を入れ換えたい場合には、注文画像表示領域２７にある不要な画像をメディア画像表示領域２６に戻して空き領域をつくってから、あらためて別の画像をメディア画像表示領域２６から注文画像表示領域２７にドラッグ＆ドロップする。
【００４２】
このように注文済みの画像が注文画像表示領域２７に一覧表示されるから、類似した絵柄の画像を重複して注文しようとしてもすぐに気がつくことができ、そのような間違いを未然に防止できる。また、注文を取り消す画像を選択する場合にも、その検討作業が容易にできる。
【００４３】
また、注文画像表示領域２７内の画像は表示順序を変更できるから、注文画像表示領域２７の上部から順番に注文希望の度合が強いものを優先して配置しておくと、予算を超えてしまいそうな時に注文を止める画像を容易に選ぶことができる。また、注文画像表示領域２７内の画像をグループ化して並べておくと、各グループ毎の枚数を容易に把握でき、例えば旅行で回った場所毎にプリント枚数が均等になるように注文する場合に便利である。
【００４４】
また、メディア画像表示領域２６内に手ブレ等により明らかに失敗したと思われる画像がある場合には、この画像をごみ箱３２にドラッグ＆ドロップする。これにより、その失敗画像がメディア画像表示領域２６から削除されると同時に、該当する画像データがメモリカード２２内から削除される。失敗画像が選択対象から除かれることにより、注文画像の選択作業をより楽に行うことができるようになる。
【００４５】
画像の選択操作が終了したら（ｓｔ１２）、カーソル３３を注文ボタン３０に合わせてマウスを左クリックする（ｓｔ１３）か、キーボードの実行キーを押す。これにより、注文画像表示領域２７に表示されている画像の画像データがメモリカード２２から読み出されて写真プリンタ２１に転送されるとともに、各画像毎に設定されたプリントサイズやプリント枚数のプリント情報が写真プリンタ２１に転送される（ｓｔ１４）。写真プリンタ２１は、プリント情報に従って各画像をプリントし、出力されたプリント写真が顧客に手渡される。
【００４６】
注文ボタン３０を左クリックする前に、プリントの注文を止めたくなった場合や、別のメモリカードの画像を注文したくなった場合等には、キャンセルボタン３１を左クリックする（ｓｔ１５）。これにより、画面２４には、図６に示すように、「注文を中止してよろしいですか？」の警告メッセージが表示される（ｓｔ１６）。
【００４７】
また、注文ボタン３０，キャンセルボタン３１のいずれも左クリックせず、画像の選択操作も何らしないまま所定時間、例えば３分経過した場合にも（ｓｔ１７）、キャンセルボタン３１を左クリックした場合と同様に、画面２４に「注文を中止してよろしいですか？」の警告メッセージが表示される（ｓｔ１６）。
【００４８】
「注文を中止してよろしいですか？」の警告メッセージの下方部に配置された「はい」ボタン３８を左クリックすると、メモリカード２２をセットする前の初期状態に戻る。また、「いいえ」ボタン３９を左クリックすると、予算の入力や注文画像の選択操作を行える状態に戻る。
【００４９】
次に、本発明の第２実施形態を説明する。上記第１実施形態では、注文画像表示領域の枠サイズを注文可能枚数に応じて縮小／拡大したが、本第２実施形態では、図７に示すように、注文画像表示領域４２の枠サイズは一定とし、注文画像表示領域４２を、一方を実際に注文する画像を置く実注文領域４３と、他方を注文の候補画像を仮に置く仮注文領域４４とに分け、この境界線を予算ライン４５として破線で表示する。そして、実注文領域４３が注文可能枚数に対応したサイズとなるように、予算ライン４５の位置や形状を変更する。なお、予算ライン４５は、枠の線等と明瞭に区別できればよく、破線に限らず、例えば一点鎖線でもよく、また枠線の色と異なる色の実線でもよい。
【００５０】
実注文領域４３と仮注文領域４４とは隣り合っているため、両者の画像を見比べることが容易にできる。このため、注文するか否か迷う画像は、取り敢えず仮注文領域４４に入れておき、この候補画像と実注文領域４３内の画像とを納得のいくまで見比べ、実際に注文する画像を決定することができる。なお、注文画像表示領域４２の枠サイズが一定であるから、画像の数が多く注文画像表示領域４２内に納まらない場合には、右端に縦スクロールバーを設けるか、各画像のサイズを縮小する。
【００５１】
次に、本発明の第３実施形態を説明する。本実施形態は、図８のフローチャートに示すように、メディア画像表示領域２６から注文画像表示領域２７にドラッグ＆ドロップ（ｓｔ１９）した直後の画像に対して、自動的に周知の赤目補正を行う（ｓｔ２０）。なお、上記第１実施形態と共通のステップは、図５に示すフローチャートと同じステップ番号を付してある。
【００５２】
前記赤目補正は、例えば特開平１０−２３３９２９号に開示されている方法によって行われる。まず、画像から顔領域を検出した後（顔抽出処理）、顔領域に含まれる目，眉，口等の特徴的な領域の検出が行われる。次に、画像の輝度情報から黒目部分等の黒領域と白目部分等の白領域とを検出し、彩度情報から赤目、唇等の赤領域を検出して、各領域の色を判別する。そして、形状なども考慮して総合的に赤目領域を特定した後、赤目除去処理を行う。
【００５３】
次に、本発明の第４実施形態を説明する。本実施形態は、図９に示すように、注文画像表示領域２７にドロップされた各画像について周知の顔抽出処理を行い、ほぼ顔を中心とするセンタトリミングを行って画像を表示する。これによって、注文画像の内容が確認しやすくなる。なお、画面内に人物が一人もいない風景画像や、逆に複数の人物が写っている集合写真では、センタトリミングを行わずにそのままサムネイル表示を行う。
【００５４】
以上説明した実施形態では、メディア画像表示領域と注文画像表示領域とをそれぞれ矩形状の枠で囲って表示したが、本発明はこれに限定されることなく、図１０に示すように、画面２４の左方部をメディア画像表示領域５１，右方部を注文画像表示領域５２とし、これらの間に隙間５３を設けることによって、メディア画像表示領域５１と注文画像表示領域５２とを区別するようにしてもよい（第５実施形態）。
【００５５】
また、上記実施形態では、注文可能枚数表示エリアには、注文可能な残り枚数を表示し、指定するプリントサイズやプリント枚数が変化する度に注文可能枚数表示エリア内の数字を変更するようにしたが、最初に予算の額を入力した直後の注文可能枚数のままで変更しないようにしてもよい。
【００５６】
また、上記実施形態では、画像のドラッグ＆ドロップ等の画面操作をマウスによって行ったが、本発明はこれに限定されることなく、ディスプレイとして、例えば周知のタッチパネル方式の液晶ディスプレイを用い、前記画面操作を指にて行うようにしてもよい。また、前記画面操作をキー操作で行うようにしてもよい。また、ディスプレイは、液晶ディスプレイに限らず、ＣＲＴ等でもよい。
【００５７】
また、上記実施形態では、メモリカード，ＵＳＢメモリやＣＤ−Ｒ，ＤＶＤ−Ｒ等のメディアを用いて画像データをプリント注文装置に読み込ませるようにしたが、デジタルカメラをＵＳＢコードでプリント注文装置に接続してもよい。また、メディア画像表示領域から注文画像表示領域に画像をドラッグ＆ドロップした際に、メディア画像表示領域に表示されている画像を削除しなかった（複写）が、削除する（移動）ようにしてもよい。なお、この場合の削除は、メディア画像表示領域に表示されている画像のみを削除し、メモリカード内の画像データは削除しない。
【図面の簡単な説明】
【００５８】
【図１】本発明に係るプリント注文装置の概略的な構成例を示すブロック図である。
【図２】メモリカードをセットした直後の画面を示す説明図である。
【図３】予算を入力した直後の画面を示す説明図である。
【図４】メディア画像表示領域から注文画像表示領域に画像をドラッグ＆ドロップする様子を示す説明図である。
【図５】第１実施形態のシーケンスを示すフローチャートである。
【図６】図５に示すフローチャートのステップ１６に対応する警告表示の例を示す説明図である。
【図７】第２実施形態の画面を示す説明図である。
【図８】第３実施形態のシーケンスを示すフローチャートである。
【図９】第４実施形態の画面を示す説明図である。
【図１０】第５実施形態の画面を示す説明図である。
【符号の説明】
【００５９】
１０  プリント注文装置
１１  ＣＰＵ
１４  ストレージデバイス
１５  メモリカードリーダ
１６  ＵＳＢスロット
１７  マルチドライブ
１８  コンピュータ
１９  ディスプレイ
２１  写真プリンタ
２２  メモリカード
２４  画面
２６，５１  メディア画像表示領域
２７，４２，５２  注文画像表示領域
２８  予算表示エリア
２９  注文可能枚数表示エリア
３４  画像
４３  実注文領域
４４  仮注文領域
４５  予算ライン
【図１】
2006139505.tif 000003
【図２】
2006139505.tif 000004
【図３】
2006139505.tif 000005
【図４】
2006139505.tif 000006
【図５】
2006139505.tif 000007
【図６】
2006139505.tif 000008
【図７】
2006139505.tif 000009
【図８】
2006139505.tif 000010
【図９】
2006139505.tif 000011
【図１０】
2006139505.tif 000012